(57)【要約】【課題】ロビーインターホンにて入館を許可した人物と現在各住戸前にてドアホンから呼び出している人物をモニタ上にて確認できるインターホンシステムの実現。【解決手段】集合住宅の共用玄関に設置され訪問者が訪問先の住戸を呼び出すカメラ付きロビーインターホンと各住戸内に設置されロビーインターホンからの呼び出しを受けるとともに訪問者の居住者エリアへの入館を許可する住戸親機と各住戸の外側に設置され住居親機を呼び出すカメラ付き玄関子機からなるインターホンシステムであって、住戸親機は、ロビーインターホン及び玄関子機からの画像を表示する表示部と、訪問者に居住者エリアへの入館を許可したときのロビーインターホンからのロビー画像を記憶するロビー画像記憶部と、住戸子機から呼び出しを受けたときに記憶部に記憶したロビー画像と玄関子機の現画像を表示部に同時表示させる親機制御部を有する。【選択図】  図３
2010239543.tif 000002
【特許請求の範囲】
【請求項１】
集合住宅のロビーに設置され訪問者が訪問先の住戸を呼び出すカメラ付きロビーインターホンと、各住戸内に設置され前記ロビーインターホンからの呼び出しを受けるとともに訪問者の居住者エリアへの入館を許可する住戸親機と、各住戸の外側に設置され前記住居親機を呼び出すカメラ付き玄関子機からなるインターホンシステムであって、
前記住戸親機は、
前記ロビーインターホン及び前記玄関子機からの画像を表示する表示部と、
前記訪問者に居住者エリアへの入館を許可したときの前記ロビーインターホンからのロビー画像を記憶するロビー画像記憶部と、
前記玄関子機から呼出しを受けたときに前記記憶部に記憶したロビー画像と前記玄関子機の現画像を前記表示部に同時表示させる親機制御部を有することを特徴としたインターホンシステム。
【請求項２】
前記記憶部は、居住者エリアへの入館を許可したときから所定時間だけ前記ロビー画像を記憶する請求項１に記載のインターホンシステム。
【請求項３】
前記親機制御部は、前記訪問者に居住者エリアへの入館許可をしていないときに前記玄関子機からの呼出しを受けると、前記玄関子機の現画像とともに注意喚起の出力をする請求項１または請求項２に記載のインターホンシステム。
【請求項４】
前記住戸親機は、更に、前記記憶部に記憶したロビー画像と前記玄関子機にて撮影した画像を照合し、同一人物か否かを判定する人物判定部を有し、
前記親機制御部は、前記人物判定部が同一人物でないと判断すると注意喚起の出力をする請求項１乃至請求項３の何れか１項に記載のインターホンシステム。
【発明の詳細な説明】
【技術分野】
【０００１】
本発明は、マンション等の集合住宅用インターホンシステムに関するものであり、特に集合住宅の居住者エリアの出入口である共用玄関に設置されたカメラ付ロビーインターホンと各住戸の玄関前に設置されたカメラ付玄関子機の画像を住戸内に設置された住居親機で表示する機能に関する。
【背景技術】
【０００２】
集合住宅においてカメラを利用した防犯対策の導入が進んでいる。集合住宅用のインターホンシステムでは、共用玄関に設置されたロビーインターホンにカメラが装備され、住人は住戸内に設置された住居親機のモニタにてロビーインターホンの画像を映し出して訪問者の容姿を観察し、身分等の確認を行った上で集合住宅の居住者エリアへの入館を許可する。また、各住戸では住戸前の玄関に設置された玄関子機にもカメラが装備され、玄関子機のカメラからの画像を住居親機のモニタに表示し、訪問者の身分を確認している。
【０００３】
特許文献１には、このような集合住宅に設置された複数のカメラの画像を住居親機のモニタに画面分割して表示する集合住宅インターホン装置が記載されている。従来技術によれば、居住者は複数個所に設置されたカメラの画像を住居親機のモニタに分割画面で同時表示することで、共用玄関前の現画像と住戸前の現画像を同時に観察することができる。
【先行技術文献】
【特許文献】
【０００４】
【特許文献１】特開２００４−１８００８６号公報
【発明の概要】
【発明が解決しようとする課題】
【０００５】
しかしながら、上記従来技術は、各住戸前のカメラ付きドアホンが撮影している現在画像と、ロビーインターホンが撮影している現在画像の両方を住居親機のモニタにて表示している。このため、従来技術では、現在住戸前にいる人物と、現在ロビーインターホン前にいる人物の画像は確認できるものの、過去の時点である居住者エリアへの入館を許可した時の人物が今住戸前に来ているのかを画像を用いて確認することができない。すなわち、居住者がロビーインターホンでの画像を確認して居住者エリアへの入館を許可した人物か否かは、現時点の住戸扉前のドアホンで撮影されている人物の画像を見て、居住者が記憶している人物と一致しているかを判断するしかない。したがって、ロビーインターホン前にて入館を許可した人物と実際に住戸の玄関に来訪した人物が別人物であっても、居住者は、少し前に入館を許可した人物であると思い込みドアホンでの画像を確認することなく、安易に扉を開ける恐れがある。玄関子機での人物確認がおろそかになってくると、他人に紛れて居住者エリアに入館した者や他の居住者などが、ロビーインターホンでの人物確認を受けることなく玄関子機から呼び出しをした場合に、玄関子機での画像確認をすることなく、安易に玄関扉を開けてしまうことが生じ得る。
【０００６】
逆に、厳格に訪問者を確認する場合は、ロビーインターホンにて居住者エリアへの入館を画像で確認した上で許可した後も、再度、住戸扉の前のドアホンでも画像を見て本人確認をしなければならない。このため、居住者は、玄関子機での本人確認をしないようになって、居住者によってはセキュリティ性が下がる可能性がある。
【０００７】
そこで、本発明は、かかる課題を解決するため、ロビーインターホンにて入館を許可した人物と、現在各住戸前にてドアホンから呼び出している人物をモニタ上にて確認できるインターホンシステムの実現を目的とする。
【課題を解決するための手段】
【０００８】
本発明は、集合住宅の共用玄関に設置され訪問者が訪問先の住戸を呼び出すカメラ付きロビーインターホンと、各住戸内に設置され前記ロビーインターホンからの呼び出しを受けるとともに訪問者の居住者エリアへの入館を許可する住戸親機と、各住戸の外側に設置され住居親機を呼び出すカメラ付き玄関子機からなるインターホンシステムであって、住戸親機は、ロビーインターホン及び玄関子機からの画像を表示する表示部と、訪問者に居住者エリアへの入館を許可したときのロビーインターホンからのロビー画像を記憶するロビー画像記憶部と、住戸子機から呼び出しを受けたときに記憶部に記憶したロビー画像と玄関子機の現画像を表示部に同時表示させる親機制御部を有するインターホンシステムを提供する。
【０００９】
また、好適な態様では、記憶部に記憶されたロビー画像を居住者エリアへの入館を許可したときから所定時間だけ記憶し、その後は消去する。これにより、ロビーインターホンにて居住者エリアへの入館を許可してから、訪問者がその住戸に到達するまでの時間程度の間だけロビー画像が表示部に同時表示されるので、長時間経過してからの訪問との区別が可能となる。
【００１０】
また、好適な態様では、親機制御部は、訪問者に居住者エリアへの入館許可をしていないときに住戸子機からの呼出しを受けると、玄関子機の現画像とともに注意喚起の出力をする。これにより、ロビーインターホンでの本人確認がされていない人物、例えば、いわゆる共連れ入館の場合や他の居住者の来訪などに、玄関子機での本人確認を促すことができる。
【００１１】
また、好適な態様では、住戸親機は、更に、記憶部に記憶したロビー画像と玄関子機にて撮影した画像を照合し、同一人物か否かを判定する人物判定部を有し、親機制御部は、人物判定部が同一人物でないと判断すると注意喚起の出力をする。これにより、画像処理技術を用いれば、同一人物でないときに特別に注意を払うことが可能となる。
【発明の効果】
【００１２】
本発明によれば、ロビーインターホンにて入館を許可した人物と、各住戸前にてドアホンにて呼び出している人物をモニタ上にて確認できる。
【図面の簡単な説明】
【００１３】
【図１】本発明を適用した集合住宅用インターホン１のシステム構成図である。
【図２】ロビーインターホン２の機能ブロック図である。
【図３】住居親機３の機能ブロックを示す機能ブロック図である。
【図４】玄関子機４の機能ブロックを示す機能ブロック図である。
【図５】ロビーインターホン2の動作を示したフローチャートである。
【図６】玄関子機4の動作を示したフローチャートである。
【図７】住居親機３の動作を示したフローチャートである。
【図８】注意喚起をしている画像表示部３−７のイメージ図である。
【発明を実施するための形態】
【００１４】
以下、図を参照し、本発明のインターホンシステムを適用した実施形態として、集合住宅用インターホン１を説明する。
【００１５】
図１は、住戸Ａ，住戸Ｂ、住戸Ｃからなる集合住宅に集合住宅用インターホン１を導入した場合のシステム構成を示す図である。集合住宅用インターホン１は、集合住宅の共用玄関であるロビーに設置されるロビーインターホン２、各住戸内に設置される住居親機３、各住戸の玄関外側に設置される玄関子機４により構成される。住居親機３および玄関子機４は集合住宅内の住戸数に応じて複数設置される。ロビーインターホン２は、共用玄関から居住者エリアへの出入口扉である自動扉５に接続されており、住居親機３からの開扉指示信号を受信すると一定時間だけ自動扉５を開扉制御する。
【００１６】
次に、図２を参照し、集合住宅用インターホン１を構成するロビーインターホン２について説明する。図２は、ロビーインターホン２の機能ブロックを示す機能ブロック図である。ロビーインターホン２は、ロビーインターホン２を操作する訪問者の容姿を撮影するカメラ２−１、訪問者が居住者と会話をするためのマイク２−２及びスピーカ２−３、住戸への呼び出しが実行されたことを訪問者へ知らせるチャイム２−４、訪問者が訪問先の住戸を選択するための住戸番号入力ボタン２−５、住戸への呼び出しを訪問者が指示するための呼出ボタン２−６、住戸番号入力ボタン２−５によって選択された呼出先である住戸番号を記憶する住戸番号メモリ２−７、ロビーインターホン２の各部の間の全体動作の制御を行うロビーインターホン制御回路２−８、住居親機３との間の双方向音声通話、画像通信、制御信号の通信を実現する回路である親機用通信回路２−９、自動扉５へ扉の開扉指示信号を送信する回路である自動扉用通信回路２−１０から構成される。
【００１７】
自動扉５は、通常時閉鎖状態に維持されており、自動扉用通信回路２−１０から開扉指示信号の入力を受けると、所定時間だけ開状態になり再び閉鎖状態に維持される。この所定時間は、集合住宅の規模等によって適宜設定される。
【００１８】
ロビーインターホン2の動作を説明する。図５はロビーインターホン2の動作を示したフローチャートである。ロビーインターホン２は、住戸番号入力ボタン２−５が操作されることにより処理を開始する。先ず、訪問者が訪問先住戸の住戸番号を住戸番号入力ボタン２−５から入力すると、入力された住戸番号を住戸番号記憶メモリ２−７に記憶する（Ｓ５０１）。その後、訪問者による呼出ボタン２０６が所定時間内に操作がされるまで待機する（Ｓ５０２−いいえ、Ｓ５１１−いいえ）。ここで、所定時間経過しても呼出ボタン２−６が操作されなければ（Ｓ５１１−はい）、住戸番号メモリ２−７に記憶された住戸番号をクリアし（Ｓ５１０）、処理を終了する。
【００１９】
ステップＳ５０２にて、呼出ボタン２−６の操作を検出すると、住戸番号メモリ２−７に記憶されている住戸番号の住戸親機３に対し、親機用通信回路２−９から呼出信号を送信するとともに、カメラ２−１が撮影しているロビーインターホン２前の現画像の送信を開始する（Ｓ５０３）。同時に、住居親機３に対して呼出し処理をしたことを訪問者に知らせるため、チャイム２−４を鳴動させる（Ｓ５０４）。
【００２０】
その後、住居親機３にてハンドセット３−１がオフフックされた旨のオフフック信号を所定時間内に受信するまで待機する（Ｓ５０５−いいえ、Ｓ５１２−いいえ）。ここで、所定時間経過してもオフフック信号を受信しなければ（Ｓ５１２−はい）、住戸番号メモリ２−７に記憶された住戸番号のクリア・画像送信の停止を実行し（Ｓ５１０）、処理を終了する。
【００２１】
ステップＳ５０５にて、オフフック信号を受信すると、親機用通信回路２−９を介して、マイク２−２、スピーカ２−３を用いた呼び出した住戸の住居親機３との音声通話も開始する（Ｓ５０６）。そして、住居親機３が送信した開扉指示信号またはオンフック信号を親機用通信回路２−９にて受信するのを待機する（Ｓ５０７−いいえ、Ｓ５０９−いいえ）。本フローチャートでは省略しているが、所定時間以内にオンフック信号が来ない場合には、Ｓ５１０へ進む。
【００２２】
この際、開扉指示信号を受信すると（Ｓ５０７−はい）、接続している自動扉５に対して自動扉用通信回路２−１０から訪問者が居住者エリアへ入館できるように所定時間開扉するように制御信号を送信する（Ｓ５０８）。また、オンフック信号を受信すると（Ｓ５０９−はい）、ステップＳ５１０に進み、住戸番号メモリ２−７に記憶された住戸番号のクリア・画像送信の停止・住居親機３との音声通話終了を実行し（Ｓ５１０）、処理を終了する。
【００２３】
次に、図４を参照し、玄関子機４を構成する各部について説明する。図４は、玄関子機４の機能ブロックを示す機能ブロック図である。玄関子機４は、住戸玄関前の訪問者を撮影するカメラ４−１、住居親機３との双方向音声通話のためのマイク４−２およびスピーカ４−３、訪問者が住居前にて居住者を呼び出すための呼出ボタン４−５、呼出ボタン４−５を操作した際に鳴動するチャイム４−４、玄関子機４の全体動作を制御する子機制御回路４−６、接続されている住居親機３との通信を行うための親機用通信回路４−７から構成される。
【００２４】
玄関子機4の動作について、図６を参照して説明する。図６は、玄関子機4の動作を示したフローチャートである。玄関子機４は、呼出ボタン４−５の押下により処理を開始する。先ず、訪問者が呼出ボタン４０５を押下すると、親機用通信回路４−７から接続されている住居親機３に対して、呼出信号を送信するとともに、カメラ４−１が撮影した現在画像の送信を開始する（Ｓ６０１）。同時に、訪問者に対して、住居親機３に対して呼出処理をしたことを知らせるために、チャイム４−５を鳴動させる（Ｓ６０２）。
【００２５】
その後、住居親機３にてハンドセット３−１がオフフックされた旨のオフフック信号を所定時間内に受信するまで待機する（Ｓ６０３−いいえ、Ｓ６０７−いいえ）。ここで、所定時間経過してもオフフック信号を受信しなければ（Ｓ６０７−はい）、画像送信の停止を実行し（Ｓ６０６）、処理を終了する。
【００２６】
ステップＳ６０３にて、オフフック信号を受信すると、親機用通信回路４−７を介して、マイク４−２、スピーカ４−３を用いた呼び出した住戸の住居親機３との音声通話も開始する（Ｓ６０３）。そして、住居親機３が送信したオンフック信号を親機用通信回路４−７にて受信するのを待機する（Ｓ６０５−いいえ）。本フローチャートでは省略しているが、所定時間以内にオンフック信号が来ない場合には、ステップＳ６０６へ進む。
【００２７】
次に、図３を参照して、住居親機３を構成する各部について説明する。図３は、住居親機３の機能ブロックを示す機能ブロック図である。住居親機３は、居住者がロビーインターホン２または玄関子機４との通話するためのハンドセット３−１、ハンドセット３−１のフック状態をオンフック状態またはオフフック状態の２状態で検出するフック状態センサ３−２、ロビーインターホン２または玄関子機４から呼出信号を受信すると鳴動するチャイム３-３、ロビーインターホン２に対して自動扉５の開扉指示信号を送出させる際に押下するための解錠ボタン３−４、ロビーインターホン２にて撮影した画像を記憶するロビーインターホン用画像メモリ３−５、玄関子機４が撮影した画像を記憶する玄関子機用画像メモリ３−６、ロビーインターホン２の撮影した画像や玄関子機４の撮影した画像を表示する画像表示部３−７、ロビーインターホン２との通信を行うロビーインターホン用通信回路３−８、玄関子機４との通信を行う玄関子機用通信回路３−９、住戸親機３の全体を制御するための親機制御回路３−１０、ロビーインターホン２からのロビー画像と玄関子機４からの玄関画像を比較処理し同一人物が写っているか否かを判定する人物判定部３−１１から構成される。
【００２８】
ハンドセット３−１は、マイクおよびスピーカを備えており、ロビーインターホン２または玄関子機４との双方向音声通話のためのインターフェースである。
【００２９】
フック状態センサ３−２は、ハンドセット３−１が住居親機３に置かれている状態（オンフック状態）、ハンドセット３−１が住居親機３から外されている状態（オフフック状態）のいずれの状態にあるかを検出するセンサである。
【００３０】
チャイム３-３は、ロビーインターホン２の呼出ボタン２−６または玄関子機４の呼出ボタン４−５が押されることにより送信される呼出信号を受信すると鳴動して、呼び出しがあったことを居住者に通知する手段である。なお、ロビーインターホン２からの呼出信号は、ロビーインターホン用通信回路３−８にて受信し、玄関子機４からの呼出信号は、玄関子機用通信回路３−９から受信する。
【００３１】
解錠ボタン３−４は、ロビーインターホン２からの呼び出しを受けて、ロビーインターホン２が撮影した画像を居住者が確認し、訪問者の居住者エリアへの入館を許可する際に居住者が操作するボタンである。解錠ボタン３−４が操作されると、ロビーインターホン用通信回路３−８からロビーインターホン２に対して自動扉５の開扉指示信号が出力される。また、解錠ボタン３−４の操作は、画像表示部３−７に表示されているロビーインターホン２から受信している画像のキャプチャ処理も実行する。
【００３２】
ロビーインターホン用画像メモリ３−５は、ロビーインターホン２に内蔵されたカメラ２−１が撮影した画像を静止画像として記憶する半導体メモリである。
【００３３】
玄関子機用画像メモリ３−６は、玄関子機４に内蔵されたカメラ４−１の画像を静止画像として記憶する半導体メモリである。
【００３４】
画像表示部３−７は、ロビーインターホン２に内蔵されたカメラ２−１の画像、または玄関子機に内蔵されたカメラ４−１の画像、またはその両方および文字列を表示する手段であって、液晶パネルである。
【００３５】
ロビーインターホン用通信回路３−８は、住居親機３とロビーインターホン2の間の双方向音声通信、画像通信、各種制御信号の通信を実現する回路である。
【００３６】
玄関子機用通信回路３−９は、住居親機３と玄関子機4の間の双方向音声通信、画像通信、制御信号の通信を実現する回路である。
【００３７】
親機制御回路３−１０は、ＣＰＵ・ＭＰＵ・ＲＡＭなどから構成され、住居親機３の各部と連携を取りながら全体の動作を制御するとともに情報の伝達を行う。
【００３８】
人物判定部３−１１は、ロビーインターホン用画像メモリ３−５に記憶された画像に写っている人物と玄関子機用画像メモリ３−６に記憶された画像に写っている人物が同一人物であるかを判定する画像認証の処理を行う。本実施の形態では、ロビーインターホン用画像メモリ３−５に記憶されているロビー画像に映っている操作中の訪問者の顔画像の顔特徴量と、玄関子機用画像メモリ３−６に記憶された玄関前の訪問者の顔画像の顔特徴量を比較して、類似しているか否かにより同一人物か否か判定している。顔照合処理の詳細は、本発明の本旨ではないので、詳細な説明は省略する。なお、同一人物か否かの判定は、顔照合処理に限らず、衣服の色情報や身長情報など要求される精度にあわせて種々の方法を用いても良い。
【００３９】
このように構成された集合住宅用インターホン１の全体動作について、住居親機３の動作とともに図７を参照して説明する。
図７は、住居親機３の動作を示したフローチャートである。住戸Ａに用事がある訪問者が来た場合を例に説明する。訪問者は、共用玄関に到着すると、ロビーインターホン２の住戸番号入力ボタン２−５を操作し、住戸Ａの住居親機３に予め設定されている住戸番号を入力する。ロビーインターホン２では、図５にて説明した処理を実行することになる。すなわち、住居親機３に対して呼出信号を送信する。
【００４０】
かかる呼出信号を住居親機３は、ロビーインターホン用通信回路３−８から受信すると、図７に記載している処理を開始する。先ず、住居親機３は、チャイム３−３を鳴動することにより、居住者に対して呼出しがあったことを知らせる（Ｓ７０１）。そして、ステップＳ７０２にて、ロビーインターホン２からの呼出信号か否かを判定する（Ｓ７０２）。本例はロビーインターホン用通信回路３−８からの呼出信号の受信なので、ロビーインターホン２からの呼出しと判定し（Ｓ７０２−はい）、Ｓ７０３へ進む。ステップＳ７０３では、ロビーインターホン２から呼出信号とともに受信している現画像を受信し、画像表示部３−７に全画面での表示を開始する（Ｓ７０３）。
【００４１】
そして、住居親機３は、ハンドセット３−１がオフフック状態となったか否かをフック状態センサ３−２にて監視し（Ｓ７１１）、オフフック状態になればオフフック信号をロビーインターホン２へ送信するとともに、音声通話を開始する（Ｓ７１２）。他方、所定時間内にオフフック状態にならなければ（Ｓ７１８−はい）、ステップＳ７１５に進み画像表示部３−７への画像表示を停止して処理を終了する。
【００４２】
通話が開始されると、居住者は、画像表示部３−７に表示されているロビーインターホン２前を撮影した現在の画像と、ハンドセット３−１を用いた訪問者との会話に基づいて、居住者エリアへの入館を許可するか判断する。ここで、本例の場合は、入館を許可する場合は、解錠ボタン３−４を居住者が押下することになる。ステップＳ７１３は、この解錠ボタン３−４が押下されたか否かを判定し、押下されれば開扉指示信号をロビーインターホン用通信回路３−８からロビーインターホン２に送信する（Ｓ７１６）。この開扉指示信号をロビーインターホン２が受信すると、接続している自動扉５に対して開扉制御を実行する。これにより、訪問者は、自動扉５を通って居住者エリアへ入館し、住戸Ａに向かうことができる。
【００４３】
解錠ボタン３−４が押下されると、押下したときに画像表示部３−７に表示されている画像をロビー画像としてロビーインターホン用画像メモリ３−５に記憶する（Ｓ７１７）。すなわち、ロビーインターホン用画像メモリ３−５に、居住者が居住者エリアへの入館を許可した人物が撮影されている画像として記憶される。入館を許可した人物の画像を特定するためには、本実施の形態のように解錠ボタンの押下時の画像としても良いし、別の操作ボタンを設け、居住者が任意のタイミングにてキャプチャするようにしてもよい。また、画像処理技術を用いて、ロビーインターホン２から受信した画像の中から、訪問者の顔を自動抽出して顔部分の面積が最大である画像をロビー画像として記憶してもよい。かかるロビーインターホン用画像メモリ３−５に記憶されたロビー画像は、所定時間の経過を持って削除する。削除しない場合は、ロビー画像としてではなく、履歴画像として記憶保持しておくのが好ましい。
【００４４】
次に、住戸親機３は、ハンドセット３−１がオンフック状態となったか否かをフック状態センサ３−２にて監視し（Ｓ７１４）、オンフック状態になればオンフック信号をロビーインターホン２へ送信するとともに、画像表示の停止・音声通話を停止して処理を終了する（Ｓ７１５）。他方、オンフック状態にならなければ、ステップＳ７１３に戻り音声通話状態を継続する。なお、この音声通話状態を継続する場合にも、時間での強制終了を設けても良い。
【００４５】
次に、このようにして、居住者の許可を受けて居住者エリアに入館した訪問者は、廊下等を通過して住戸Ａの玄関前に到着する。そして、住戸Ａの玄関前に設置されている玄関子機４の呼出ボタン４−５を押下する。この呼出ボタン４−５の押下により、図７の処理が開始される。
【００４６】
住居親機３は、玄関子機用通信回路３−９から呼出信号を受けたので、チャイム３−３を鳴動し、居住者に対して呼出しがあったことを知らせる（Ｓ７０１）。そして、ステップＳ７０２にて、ロビーインターホン２からの呼出信号か否かを判定する（Ｓ７０２）。今回は玄関子機用通信回路３−９からの呼出信号の受信なので、玄関子機４からの呼出しと判定し（Ｓ７０２−いいえ）、ステップＳ７０４へ進む。ステップＳ７０４では、玄関子機４から呼出信号とともに受信した最初の静止画像を玄関画像として玄関子機用画像メモリ３−６に記憶する。玄関子機用画像メモリ３−６に記憶する玄関画像は、本実施の形態のように呼出信号の受信時の画像としても良いし、呼出信号を受診した後の複数枚の画像を記憶しておいてもよい。また、画像処理技術を用いて、玄関子機４から受信した画像の中から、訪問者の顔を自動抽出して顔部分の面積が最大である画像を玄関画像として記憶してもよい。かかる玄関子機用画像メモリ３−６に記憶された玄関画像は、所定時間の経過を持って削除する。削除しない場合は、玄関画像としてではなく、履歴画像として記憶保持しておくのが好ましい。
【００４７】
次に、ロビー画像が、ロビーインターホン用画像メモリ３−５に記憶されているか否か判断する（Ｓ７０５）。今回の場合は、訪問者がロビーインターホン２にて住戸Ａの居住者が許可をしているので、ロビー画像が記憶されておりステップＳ７０７へ進む。ステップＳ７０７では、画像表示部３−７に、ロビーインターホン用画像メモリ３−５に記憶されているロビー画像と、現在玄関子機４のカメラ４−１が撮影している現画像とを、画面領域を分けて同時表示する。
【００４８】
そして、ステップＳ７０８にて、ロビーインターホン用画像メモリ３−５に記憶されているロビー画像と、玄関子機用画像メモリ３−５に記憶されている玄関画像とを処理して、同一人物か否かを人物判定部３−１１にて比較する。人物判定部３−１１にて同一人物と判定されれば、特段の注意喚起の処理は行わずステップＳ７１１へ進む。なお、この場合であっても、同一人物である旨を知らせる表示をしても良い。これにより、居住者は、ハンドセット３−１にて応対する前に、ロビーインターホン２にて入館を許可した人物が玄関前に来ていることを画像にて確認することができるので、安心して玄関扉を開けることができる。
【００４９】
ステップＳ７１１以降の処理は前述した通りであるが、玄関子機４からの呼び出しなので、通常はＳ７１３の解錠ボタン３−４の押下がされることもないので、タイムアップまたはオンフックにて処理が終了される。
【００５０】
次に、不正な訪問者が居住者の許可を得ずに玄関子機４の呼出ボタン４−５を押下した場合の処理について説明する。訪問者は、住戸Ａの玄関前に設置されている玄関子機４の呼出ボタン４−５を押下する。この呼出ボタン４−５の押下により、図７の処理が開始される。
【００５１】
住居親機３は、玄関子機用通信回路３−９から呼出信号を受けたので、チャイム３−３を鳴動し、居住者に対して呼出しがあったことを知らせる（Ｓ７０１）。そして、ステップＳ７０２にて、ロビーインターホン２からの呼出信号か否かを判定する（Ｓ７０２）。今回は玄関子機用通信回路３−９からの呼出信号の受信なので、玄関子機４からの呼出しと判定し（Ｓ７０２−いいえ）、ステップＳ７０４へ進む。Ｓ７０４では、玄関子機４から呼出信号とともに受信した最初の静止画像を玄関画像として玄関子機用画像メモリ３−６に記憶する。かかる玄関子機用画像メモリ３−６に記憶された玄関画像は、所定時間の経過を持って削除する。削除しない場合は、玄関画像としてではなく、来訪者の履歴画像として記憶保持しておくのが好ましい。
【００５２】
次に、ロビー画像が、ロビーインターホン用画像メモリ３−５に記憶されているか否か判断する（Ｓ７０５）。今回の場合は、他の訪問者がロビーインターホン２にて住戸Ａの居住者が許可を得ておりロビー画像が記憶されている場合と、ロビー画像が記憶されていない場合がある。ここで、他の訪問者がロビーインターホン３にて許可を得ている場合は、ステップＳ７０７へ進む。他方、誰もロビーインターホン３にて許可を得ていない場合は、ステップＳ７０６に進む。
【００５３】
Ｓ７０７では、画像表示部３−７に、ロビーインターホン用画像メモリ３−５に記憶されているロビー画像と、現在玄関子機４のカメラ４−１が撮影している現画像とを、画面領域を分けて同時表示して、ステップＳ７０８へ進む。ステップＳ７０８では、ロビーインターホン用画像メモリ３−５に記憶されているロビー画像と、玄関子機用画像メモリ３−６に記憶されている玄関画像とを処理して、同一人物か否かを人物判定部３−１１にて比較する。本例の場合は、他人であるので、人物判定部３−１１にて同一人物と判定されず、別人物の来訪である旨の注意喚起の処理Ｓ７１０を行う。
【００５４】
図８は、かかる場合の注意喚起をしている画像表示部３−７のイメージ図である。同図において、画像表示部３−７には、ロビー画像と現在玄関子機４のカメラ４−１が撮影している現画像が同時表示されている。その下部には、ロビー画像と玄関画像とが同一人物でないので、良く確認してから玄関扉を開けるように注意喚起した表示がされる。これにより、居住者は、ハンドセット３−１にて応対する前に、ロビーインターホン２にて入館を許可した人物でない人が玄関前に来ていることを画像にて確認することができるので、不用意に玄関扉を開くことを防止できる。その後、ステップＳ７１１以降の処理を実行する。なお、玄関子機４からの現画像の表示を玄関子機用画像メモリに記憶している玄関画像にしても良く、あるいは任意の操作によりこれらを切替表示するようにしてもよい。
【００５５】
誰も住戸Ａの居住者から許可を得ていない場合、つまり、ロビーインターホン２での確認を受けずに、他の人と共連れ入館した訪問者や集合住宅の居住者である場合は、ロビー画像が記憶されていないので、「Ｓ７０５−いいえ」となりステップＳ７０６の処理に進む。
【００５６】
ステップＳ７０６では、画像表示部３−７に、ロビー画像を表示するべき領域には画像が無しの旨を表示し、現在玄関子機４のカメラ４−１が撮影している現画像を表示する。更に、突然の来訪である旨の注意喚起の表示を行う。これにより、突然の訪問者であることを認識した上で、応対が可能となるのでセキュリティ性の向上が図れる。
【００５７】
ステップＳ７１１以降の処理は前述した通りであるが、玄関子機４からの呼び出しなので、通常はＳ７１３の解錠ボタン３−４の押下がされることもないので、タイムアップまたはオンフックにて処理が終了される。
【符号の説明】
【００５８】
１・・・集合住宅用インターホン
２・・・ロビーインターホン
３・・・住居親機
４・・・玄関子機
５・・・自動扉
【図１】
2010239543.tif 000003
【図２】
2010239543.tif 000004
【図３】
2010239543.tif 000005
【図４】
2010239543.tif 000006
【図５】
2010239543.tif 000007
【図６】
2010239543.tif 000008
【図７】
2010239543.tif 000009
【図８】
2010239543.tif 000010